(57)【要約】  本発明の原理によるテレビ装置は、２つ以上の表示ウィンドウをサポートするが、リモコンの１セットのキーのみから、全てのウィンドウでチャンネルを変更するためのチャンネル変更制御信号を受け入れる。テレビ装置は、各ウィンドウでの少なくとも２つのチューナと、チャンネルを変更するように２つのチューナに指示する制御信号を受信するプロセッサとを有する。プロセッサが第１の制御信号を受信すると、プロセッサは、更なるチャンネル変更に第１のウィンドウを表示して選択する。第１の制御信号を受信したときに第１のウィンドウが表示されていない場合、プロセッサは、チャンネル変更用に現在選択されていないウィンドウを選択する。有利には、テレビ装置によりサポートされる複数のウィンドウの間で同じセットのチャンネル変更キーを共有して、リモコンの更なるキーが用いられない。
2007519367.tif 000002
【特許請求の範囲】
【請求項１】
それぞれ第１及び第２のウィンドウの第１及び第２のチューナからテレビ信号を表示する表示制御と、
制御信号を受信し、それぞれのウィンドウでチャンネルを変更するように前記チューナに指示するプロセッサと
を有するテレビ装置であって、
第１の制御信号を受信したときに前記第１のウィンドウが表示されていない場合、前記プロセッサは、前記第１のウィンドウを表示し、チャンネル変更用に前記第１のウィンドウを選択し、
前記第１の制御信号を受信したときに前記第１のウィンドウが表示されている場合、前記プロセッサは、チャンネル変更用に現在選択されていないウィンドウを選択し、
前記選択されたウィンドウで表示されるチャンネルは、テレビ装置により受信されるチャンネル変更制御信号に従って変化するテレビ装置。
【請求項２】
請求項１に記載のテレビ装置であって、
前記プロセッサは、前記選択されたウィンドウをハイライトするように前記表示制御に指示するテレビ装置。
【請求項３】
請求項１に記載のテレビ装置であって、
前記第１のウィンドウは、ピクチャ・イン・ピクチャ・ウィンドウであるテレビ装置。
【請求項４】
請求項３に記載のテレビ装置であって、
前記第１の制御信号は、リモコンのピクチャ・イン・ピクチャ・キーを押下することにより生成された信号であるテレビ装置。
【請求項５】
請求項４に記載のテレビ装置であって、
前記チャンネル変更制御信号は、前記リモコンのチャンネル上キーを起動することにより生成された信号であるテレビ装置。
【請求項６】
請求項４に記載のテレビ装置であって、
前記チャンネル変更制御信号は、前記リモコンの番号キーを起動することにより生成された信号であるテレビ装置。
【請求項７】
請求項４に記載のテレビ装置であって、
前記チャンネル変更制御信号は、前記リモコンの戻キーを起動することにより生成された信号であるテレビ装置。
【請求項８】
請求項１に記載のテレビ装置であって、
前記プロセッサは、前記第１の制御信号の第２の発生を受信したときに、前記選択されたウィンドウ以外のウィンドウを選択するテレビ装置。
【請求項９】
請求項１に記載のテレビ装置であって、
前記ウィンドウを表示する表示装置を更に有するテレビ装置。
【請求項１０】
請求項１に記載のテレビ装置であって、
前記ウィンドウは、ピクチャ・イン・ピクチャ・ウィンドウであるテレビ装置。
【請求項１１】
請求項１に記載のテレビ装置であって、
前記ウィンドウのうち１つは、ピクチャ・アウトサイド・ピクチャ・ウィンドウであるテレビ装置。
【請求項１２】
それぞれ第１及び第２のチューナからのテレビ信号について第１及び第２のウィンドウをサポートするテレビ装置でチャンネルを変更するために、リモコンのチャンネル変更キーを共有する方法であって、
前記テレビ装置により第１の制御信号を受信するステップと、
前記第１のウィンドウが表示されていない場合、前記第１のウィンドウを表示し、チャンネル変更用に前記第１のウィンドウを選択するステップと、
前記第１のウィンドウが表示されている場合、チャンネル変更用に現在選択されていないウィンドウを選択するステップと
を有する方法。
【請求項１３】
請求項１２に記載の方法であって、
前記第１の制御信号はまた、前記テレビ装置に前記選択されたウィンドウをハイライトさせる方法。
【請求項１４】
請求項１３に記載の方法であって、
前記第１のウィンドウは、ピクチャ・イン・ピクチャ・ウィンドウである方法。
【請求項１５】
請求項１３に記載の方法であって、
前記第１の制御信号は、前記ピクチャ・イン・ピクチャ・ウィンドウを起動するためのリモコンのピクチャ・イン・ピクチャ・キーである方法。
【請求項１６】
請求項１２に記載の方法であって、
前記第１の制御信号の第２の発生を受信し、チャンネル変更用に現在選択されていないウィンドウを選択するステップを更に有する方法。
【請求項１７】
請求項１２に記載の方法であって、
チャンネル変更制御信号を受信し、前記チャンネル変更制御信号に従って前記選択されたウィンドウに表示されたチャンネルを変更するステップを更に有する方法。
【請求項１８】
請求項１７に記載の方法であって、
前記チャンネル変更制御信号は、チャンネルを指定するためのリモコンの番号キーを起動することにより生成される方法。
【請求項１９】
請求項１２に記載の方法であって、
前記チャンネル変更制御信号は、前のチャンネルに戻るためのリモコンの戻キーを起動することにより生成される方法。
【発明の詳細な説明】
【技術分野】
【０００１】
本発明はテレビの分野に関し、特にマルチウィンドウ機能をサポートするテレビのウィンドウ間で制御信号を共有することに関する。
【背景技術】
【０００２】
多数のテレビセットは、１つより多くの信号がテレビ画面に同時に表示されることを可能にするマルチウィンドウ機能を提供する。マルチウィンドウ機能は、ピクチャ・イン・ピクチャ（ＰＩＰ：ｐｉｃｔｕｒｅ−ｉｎ−ｐｉｃｔｕｒｅ）機能と、ピクチャ・アンド・ピクチャ（ＰＡＰ：ｐｉｃｔｕｒｅ−ａｎｄ−ｐｉｃｔｕｒｅ）機能と、ピクチャ・アウトサイド・ピクチャ（ＰＯＰ：ｐｉｃｔｕｒｅ−ｏｕｔｓｉｄｅ−ｐｉｃｔｕｒｅ）機能とを含む。ＰＩＰ機能により、１つより多くの信号が同時に表示されることが可能になるが、如何なる時点においても唯一の信号のみがテレビ画面の主表示領域に表示される。他のものは２次表示領域に表示される。ＰＡＰ機能により、１つより多くの信号が主表示領域に表示されることが可能になる。他方で、ＰＯＰ機能により、１つの信号がワイド画面（１６：９）テレビの主表示領域（４：３）に表示され、他のものが主表示領域の周りの未使用の領域に表示されることが可能になる。ここで用いられる各表示領域は、表示ウィンドウ又は単にウィンドウと呼ばれる。
【０００３】
通常では、各ウィンドウは、そのウィンドウに表示されたチャンネルを変更するために、異なるセットのチャンネル変更キーを必要とする。例えば、ＰＩＰ機能をサポートするテレビ装置は、主ウィンドウ用のチャンネル変更キーのセットと、ＰＩＰウィンドウ用の異なるセットとを有するリモコンを必要とする。更に、ＰＩＰウィンドウが主ウィンドウと番号キーのセットを共有することを何らかのテレビセットが許容していたとしても、ＰＩＰウィンドウを表示するＰＩＰキー以外のキーは、主ウィンドウとＰＩＰウィンドウとの間でチャンネル制御を切り替えるために設けられなければならない。このように、いずれの手法でも、ＰＩＰウィンドウでチャンネルを変更するために１つ以上の更なるキーが必要になる。
【発明の開示】
【発明が解決しようとする課題】
【０００４】
電子番組ガイド及びインターネットアクセスのような新しい可能性及び機能がテレビ装置に組み込まれていることは周知である。これらの新しい可能性及び機能は、しばしばリモコンに多くの制御キーを必要とする。従って、リモコンのキーの数を低減し、これらの更なるキーを組み込むための多くの空間を残す必要もある。
【課題を解決するための手段】
【０００５】
本発明によるテレビ装置は、チャンネルを変更するためのチャンネル変更制御信号の１セットを共有するが、ウィンドウのうち１つを起動（表示）してチャンネル変更用の１つのウィンドウを選択するために１つのリモコン信号を使用する２つ以上の表示ウィンドウをサポートする。
【０００６】
テレビ装置は、各ウィンドウにテレビ信号を供給する少なくとも２つのチューナと、制御信号を受信して、制御信号により要求されてチャンネルを変更するように２つのチューナに指示するプロセッサとを有する。プロセッサが第１の制御信号を受信すると、第１のウィンドウが表示されていない場合には、プロセッサは第１のウィンドウを表示し、チャンネル変更用に第１のウィンドウを選択する。第１の制御信号を受信したときに、第１のウィンドウが表示されている場合には、プロセッサは、チャンネル変更用に現在選択されていないウィンドウを選択する。
【０００７】
例えば、第１の制御信号は、リモコンからのピクチャ・イン・ピクチャ（ＰＩＰ）ボタン（キー）を起動（押下等）することにより生成された信号でもよく、チャンネル変更制御信号は、リモコンのチャンネル番号キーを少なくとも押下することにより生成された信号でもよい。この例では、プロセッサが第１の制御信号を受信したときにＰＩＰウィンドウが表示されていない場合、プロセッサはＰＩＰウィンドウを起動し、同時にチャンネル変更用にＰＩＰウィンドウを選択する。第１の制御信号を受信したときにＰＩＰウィンドウが表示されていない場合、プロセッサはチャンネル変更用に現在選択されていないウィンドウを選択する。従って、ＰＩＰキーはＰＩＰウィンドウを起動し、チャンネル変更用の１つのウィンドウを選択するために使用可能である。
【０００８】
チャンネル変更用に何のウィンドウが選択されているかの視覚表示をユーザに提供するために、プロセッサは選択されたウィンドウをハイライトしてもよく、選択されたウィンドウ内にアイコンを有してもよい。
【産業上の利用可能性】
【０００９】
図１は、本発明に従って機能するように適合されたハンドヘルド型赤外線リモコン１００を示している。例示的に、赤外線リモコン１００は、チャンネル上キー１０１と、チャンネル下キー１０２と、音量上キー１０３と、音量下キー１０４と、チャンネル番号キー１０６−１１５と、ミュートキー１１６と、コマーシャルスキップキー１２０と、戻キー１２１と、電源キー１２２とを有する。リモコン１００はまた、ＰＩＰウィンドウを起動（表示）し、チャンネル変更用のウィンドウを選択するピクチャ・イン・ピクチャ（ＰＩＰ）キー１３１をも有する。赤外線リモコン１００は、キーが起動されたときに赤外線制御信号を生成する赤外線信号生成器（図示せず）を更に有する。ユーザがリモコン１００でキー１０１−１０４及び１０６−１２２のうちいずれかを押下すると、適切なユーザ赤外線制御信号（図示せず）が赤外線生成器により生成され、図３に示すテレビ装置のような被制御装置に送信される。次に、被制御装置は、制御信号を実行する。この例でのチャンネル変更用のキーのセットは、チャンネル番号キー２０６−２１５と、戻キー２１１と、チャンネル上キー２０１と、チャンネル下キー２０２とを有する。チャンネル変更キーのこのセットは、マルチウィンドウ機能をサポートするテレビ装置の各ウィンドウにより共有される。当然のことながら、チャンネル変更キーは、このセットに含まれるものに限定されず、キーの起動によりテレビ装置がチャンネルを変更することをもたらす場合には、キーはチャンネル変更キーと考えられる。
【００１０】
例示的に、リモコン１００はまた、本発明の原理を理解するために必ずしも必要のない他のキーを有する。必ずしも必要のない他のキーには、テレビ設定メニューを表示するメニューキー１２３、ビデオ入力を選択する入力キー１０５、スリープタイマを調整するスリープキー１３２、表示画面（ＯＳＤ：ｏｎ−ｓｃｒｅｅｎ  ｄｉｓｐｌａｙ）を表示する情報キー１３３、ＯＳＤ内でナビゲーションするキー（上矢印キー１２４、下矢印１２７、右矢印キー１２５及び左矢印キー１２８）、ＯＳＤでの選択を有効にするＯＫキー、ＯＳＤをクリアするクリアキー１２９がある。他のキーが他の機能用に追加されてもよく、ウィンドウ間でチャンネル変更キーを共有することにより、これらの更なるキーを組み込むための多くの余地を残してもよい。
【００１１】
図２は、ＰＩＰウィンドウと主ウィンドウとの双方が同じセットのチャンネル変更キーを共有することができるように、本発明の原理に従ってＰＩＰをサポートするテレビ装置でＰＩＰウィンドウを表示し、チャンネル変更用にＰＩＰウィンドウ又は主ウィンドウを選択するために１つのキーを使用する方法２００を示している。説明の目的で、リモコン１００が方法２００を説明するときに使用される。ステップ２１０において、テレビ装置は、ユーザが（例えばＰＩＰキー１３１を押下することにより）リモコン１００のＰＩＰキー１３１を起動することにより生成された第１の制御信号を受信する。判定ブロック２２０において、テレビ装置は、ＰＩＰウィンドウが表示されているか否かを判定する。ＰＩＰウィンドウが表示されている場合、ステップ２４０において、テレビ装置はチャンネル変更用に現在選択されていないウィンドウを選択する。例えば、ＰＩＰウィンドウが現在選択されている場合、テレビ装置は主ウィンドウを選択する。ステップ２５０において、テレビ装置はチャンネル変更制御信号を受信する。そのチャンネル変更制御信号は、１つ以上のチャンネル番号キー２０６−２１５、チャンネル上キー２０１、チャンネル下キー２０２又は戻キー２１１を押下することにより生成可能である。ステップ２６０において、テレビ装置は、選択されたウィンドウ用のチャンネル変更制御信号により指定されたチャンネルに同調する。テレビがチャンネル変更用のウィンドウを選択すると、ウィンドウをハイライトしてもよく、それによりユーザは何のウィンドウが選択されているかを視覚的に見ることが可能になる。
【００１２】
判定ブロック２２０でＰＩＰウィンドウが表示されていない場合、ステップ２３０において、テレビ装置はＰＩＰウィンドウを表示し、同時に後のチャンネル変更用にＰＩＰウィンドウを選択するように進む。ステップ２５０において、テレビ装置はチャンネル制御信号を受信するように進み、ステップ２６０において、ＰＩＰウィンドウ用のチャンネル変更制御信号により指定されたチャンネルに同調する。主ウィンドウが選択された後に、テレビ装置が第１の制御信号を再び受信すると、テレビ装置はＰＩＰウィンドウを除去する。すなわち、ＰＩＰウィンドウは表示されない。
【００１３】
図３は、方法２００で使用されるのに適したテレビ装置を示している。図３に示すテレビ装置は、無線周波数（ＲＦ：ｒａｄｉｏ  ｆｒｅｑｕｅｎｃｙ）でテレビ信号ＲＦ＿ＩＮを受信する入力１１００を有する。信号ＲＦ＿ＩＮは、アンテナ又はケーブルシステムのようなソースから供給されてもよい。中間周波数（ＩＦ：ｉｎｔｅｒｍｅｄｉａｔｅ  ｆｒｅｑｕｅｎｃｙ）プロセッサ１１０３と対になるチューナ１１０２及び他のＩＦプロセッサ１１３０と対になる他のチューナ１１０５は、信号ＲＦ＿ＩＮに含まれるそれぞれの特定の信号に同調して変調することについて、従来のように動作する。ＩＦプロセッサ１１０３及び１１３０は、それぞれチューナ１１０２及び１１０５からのテレビ信号に同調したビデオプログラム部分を示すベースバンドビデオ信号ＶＩＤＥＯ１及びＶＩＤＥＯ２をそれぞれ生成する。双方のＩＦプロセッサはまた、それぞれベースバンドオーディオ信号をも生成する。その１つが更なるオーディオ処理用にオーディオ処理部分（図３に図示せず）に結合されている。図３は２つのチューナが同じ入力１１００を共有することを示すが、テレビ装置は、各チューナが異なる入力から信号を受信するように、第２の入力を有してもよい。
【００１４】
図３に示すテレビ装置はまた、チューナ１１０２及び１１０５のようなテレビ装置の構成要素を制御する主マイクロプロセッサ（ｕＰ）１１００と、ピクチャ・イン・ピクチャ処理ユニット１１４０と、ビデオ信号プロセッサ１１５５とを有する。ここで用いられる“マイクロプロセッサ”という用語は、マイクロプロセッサとマイクロコンピュータとマイクロコントローラとコントローラとを含むが、これらに限定されない様々な装置を意味する。
【００１５】
マイクロプロセッサ１１１０は、シリアルデータバスＩ２Ｃ  ＢＵＳを介してコマンド及びデータを送受信することにより、システムを制御する。シリアルデータバスＩ２Ｃ  ＢＵＳは、周知のＩ２Ｃシリアルデータバスプロトコルを使用する。具体的には、マイクロプロセッサ１１１０内の中央処理装置（ＣＰＵ）１１１２は、例えば赤外線（ＩＲ）リモコン１１２５及びＩＲ受信機１１２２を介してユーザにより提供された（ユーザコマンドを伝える）制御信号に応じて、図３に示すＥＥＰＲＯＭ１１２７のようなメモリに格納された制御プログラムを実行する。以下の説明では、例示的にＩＲリモコン１１２５は、図１に示すリモコン１０００に類似した形式又はリモコンである。
【００１６】
例えばユーザがＰＩＰキー１３１を押下した場合、ＣＰＵ１１１２は、リモコン１１２５により生成された制御信号を受信したときに、ＰＩＰウィンドウが表示されているか否かを検査する。ＰＩＰウィンドウが表示されている場合、後のチャンネル変更用に、ＣＰＵは現在選択されていないウィンドウを選択するように進む。例えば、ＰＩＰウィンドウが選択された場合、ＣＰＵ１１１２は主ウィンドウを選択する。ユーザが１つ以上のチャンネル変更キー（例えばチャンネル上キー２０１）を押下することにより生成されたチャンネル変更信号をリモコン１１２５からＣＰＵ１１１２が受信すると、ＣＰＵ１１１２は、Ｉ２Ｃ  ＢＵＳを介して、チャンネルデータと共に“チャンネル変更”コマンドを選択されたウィンドウに関連するチューナに送信する。その結果、選択されたウィンドウに関連するチューナが、チャンネル操作リストの次のチャンネルに同調する。
【００１７】
ＰＩＰ制御信号を受信したときにＰＩＰウィンドウが表示されていないことをＣＰＵ１１１２が決定すると、ＣＰＵ１１１２は、ＰＩＰウィンドウを起動するようにピクチャ・イン・ピクチャ（ＰＩＰ）プロセッサ１１４０に命令する。同時に、ＣＰＵ１１１２はまた、後のチャンネル変更用にＰＩＰウィンドウを選択する。このように、ＰＩＰウィンドウを表示してチャンネル変更用のウィンドウを選択するために、リモコン１００の１つのキーが使用され得る。有利には、同じセットのチャンネル変更キーを共有するために、更なるキーは必要ではない。
【００１８】
ＰＩＰプロセッサ１１４０は、ＶＩＤＥＯ１及びＶＩＤＥＯ２信号を受信し、ＰＩＰＶ信号を生成する。ＰＩＰウィンドウが表示されていない場合、信号ＰＩＰＶは単に大きい画面を示す。ＰＩＰウィンドウが表示されている場合、信号ＰＩＰＶは、小さい画面がはめ込まれた大きい画面を示す。ＰＩＰプロセッサ１１４０は、ビデオスイッチやアナログ・デジタル変換器（ＡＤＣ）やＲＡＭやデジタル・アナログ変換器（ＤＡＣ）のような機能を使用して、従来の方法で記載の機能を提供する。
【００１９】
ＣＰＵ１１１２は、バス１１１９を介してマイクロプロセッサ１１１０に含まれる機能を制御する。特に、ＣＰＵ１１１２は、補助データプロセッサ１１１５と表示画面（ＯＳＤ）プロセッサ１１１７とを制御する。補助データプロセッサ１１１５は、電子番組ガイド（ＥＰＧ）のデータのような補助データをビデオ信号ＰＩＰＶから抽出する。
【００２０】
ＯＳＤプロセッサ１１１７は、従来のように動作し、Ｒ、Ｇ及びＢビデオ信号ＯＳＤ＿ＲＧＢを生成する。表示装置に結合されると、ビデオ信号ＯＳＤ＿ＲＧＢは、ＥＰＧを有するグラフィック及び／又はテキストのような表示画面を示す表示画像、又は選択されたウィンドウをハイライトする表示画像を生成する。ＯＳＤプロセッサ１１１７はまた、制御信号ＦＳＷを生成する。制御信号ＦＳＷは、表示画面が表示される時点で、信号ＯＳＤ＿ＲＧＢをシステムのビデオ出力信号に挿入する高速スイッチを制御することを目的とする。例えば、リモコン１１２５からＰＩＰ制御信号を受信したときに、ＣＰＵが後のチャンネル変更用にＰＩＰウィンドウを選択すると、ＣＰＵは図４ＡのＰＩＰウィンドウ４１０のようなＰＩＰウィンドウをハイライトしてもよい。ＣＰＵが主ウィンドウを選択すると、ＣＰＵ１１１２は、図４Ｂの主ウィンドウ４２０のような主ウィンドウをハイライトしてもよい。いずれの場合でも、ＣＰＵ１１１２は、ＯＳＤプロセッサ１１１７を有効にする。それに応じて、ＯＳＤプロセッサ１１１７は、ハイライト情報を示す信号ＯＳＤ＿ＲＧＢを生成する。ＯＳＤプロセッサ１１１７はまた、ハイライトが表示されているときを示す信号ＦＳＷを生成する。当然のことながら、選択されたウィンドウの視覚表示はハイライトに限定されない。例えば、視覚表示は、選択されたウィンドウの内部にある小さい円のようなアイコンでもよい。
【００２１】
ビデオ信号プロセッサ（ＶＳＰ）１１５５は、ＰＩＰプロセッサ１１４０からビデオ信号ＰＩＰＶを受信し、輝度（ｌｕｍａ）及び色度（ｃｈｒｏｍａ）処理のような従来のビデオ信号処理機能を実行する。ＶＳＰ１１５５により生成された出力信号は、表示画像を生成する表示装置（例えばキネスコープ又はＬＣＤ装置（図３に図示せず））に結合されるのに適している。ＶＳＰ１１５５はまた、グラフィック及び／又はテキストが表示画像に含まれる時点で、ＯＳＤプロセッサ１１１７により生成された信号を出力ビデオ信号経路に結合する高速スイッチを有する。高速スイッチは、制御信号ＦＳＷにより制御される。制御信号ＦＳＷは、テキスト及び／又はグラフィックが表示される時点で、マイクロプロセッサ１１１０のＯＳＤプロセッサ１１１７により生成される。
【００２２】
ハイライト、記号、テキスト又はアイコンのように、選択されたウィンドウを示すために、表示データはＯＳＤプロセッサ１１１７により生成され、高速スイッチ信号ＦＳＷに応じてＶＳＰ１１５５による出力信号に含まれる。この例では、マイクロプロセッサ１１１０は、ユーザがＰＩＰキーを押下したときにリモコン１１２５により生成されたＰＩＰ制御信号を受信し、マイクロプロセッサ１１１０は、選択されたウィンドウを示す表示をＯＳＤプロセッサ１１１７に生成させる。マイクロプロセッサ１１１０は、ＶＳＰ１１５５に対して、信号ＦＳＷに応じてＯＳＤプロセッサ１１１７からの指示の表示データとＰＩＰＶ信号とを結合させ、指示を含む表示を生成させる。
【００２３】
１つのキーがリモコンで節約できるように、ウィンドウを選択するためにリモコンのＰＩＰキーを使用するものとして示したが、テレビ装置の前面パネルのキーボードのキーがウィンドウを選択するために使用されてもよい。更に、テレビ装置は、チャンネル変更用のウィンドウを選択するために、マウス又はキーボード（双方とも図３に図示せず）のような位置決め装置を有してもよい。マイクロプロセッサ１１１０は、マウスの移動のような位置決め装置の動作を検出し、現在のカーソル位置情報を評価する。マウスボタンのクリックのような選択を示す信号をマイクロプロセッサ１１１０が検出すると、マイクロプロセッサ１１１０は、チャンネル変更用のウィンドウとしてマウスにより位置決めされたウィンドウを選択する。同じ目的を実現するために、カーソルを移動するために矢印キーを使用し、選択を行うためにリターンキーを使用して、キーボードが使用されてもよい。
【００２４】
制御信号はまた、必要な入力機構（ボタン等）が提供される場合には、前面パネル配列（図示せず）から生じてもよい。
【００２５】
図３に示すテレビ装置は、テレビ自体の内部でもよく、セットトップボックス内でもよい。セットトップボックスは、デジタル衛星テレビ放送、ケーブルテレビ放送、若しくはコミュニティ・アンテナ・サービス、又はそれらの組み合わせを受信するために現在利用可能である。
【００２６】
１つのＰＩＰウィンドウとして図示されているが、本発明の原理は、２つ以上のＰＩＰウィンドウを備えたテレビ装置にも拡張可能である。各ＰＩＰウィンドウが異なるＰＩＰキーに関連する場合、関連するＰＩＰウィンドウを起動して、チャンネル変更用の１つのウィンドウを選択するために、１つ以上のＰＩＰキーが使用されてもよい。同時に全てのＰＩＰウィンドウを起動するために唯一のＰＩＰキーが用いられる場合、全てのＰＩＰウィンドウが表示された後にチャンネル変更用の１つのウィンドウを選択するために、ＰＩＰキーが使用されてもよい。ウィンドウは循環ラウンドロビン型で選択されることが好ましい。すなわち、全てのウィンドウは循環リストとして構成され、選択信号が受信される毎に、テレビ装置は現在選択されているウィンドウの直後のウィンドウを選択する。当然のことながら、位置決め装置又はキーボードが提供される場合、ユーザは、現在選択されているものを含む如何なるウィンドウを選択してもよい。
【００２７】
ＰＩＰ機能をサポートするテレビ装置に加えて、本発明の原理は、ピクチャ・アンド・ピクチャ（ＰＡＰ）又はピクチャ・アウトサイド・ピクチャ（ＰＯＰ）機能をサポートするテレビ装置にも拡張可能である。選択基準はＰＩＰ機能を備えたテレビのものと類似する。例えば、ＰＯＰ機能を備えたテレビでチャンネル変更用のウィンドウを選択するために専用キーが用いられる場合、循環ラウンドロビン型でウィンドウが選択される。
【００２８】
本発明について現在好ましい実施例に関して説明したが、本発明の要旨及び範囲を逸脱することなく、多数の代替モード及び実施例が実行可能であることを、当業者は容易に認識する。
【図面の簡単な説明】
【００２９】
【図１】本発明の原理によるテレビ装置で使用可能なハンドヘルド型赤外線リモコン
【図２】リモコンからのチャンネル変更キーの１セットが全てのウィンドウにより共有可能なように、本発明の原理に従ってＰＩＰウィンドウを表示し、チャンネル変更用の１つのウィンドウを選択するために１つのキーを使用する方法
【図３】チャンネル変更キーの１セットを共有するための本発明の原理によるテレビ装置
【図４Ａ】選択されるときにハイライトされるＰＩＰウィンドウ
【図４Ｂ】選択されるときにハイライトされる主ウィンドウ
【図１】
2007519367.tif 000003
【図２】
2007519367.tif 000004
【図３】
2007519367.tif 000005
【図４Ａ】
2007519367.tif 000006
【図４Ｂ】
2007519367.tif 000007
【国際調査報告】
2007519367.tif 000008